(57)【要約】【課題】たとえポンプ据付後の不等沈下等によって構造物が傾いても、ポンプ据付穴の水密性を保ったまま容易にポンプの姿勢を修正できるポンプ据付用水密ベース及びポンプ設備を提供すること。【解決手段】ポンプ据付穴１０３の内周部分に取り付けられ、その上にポンプ８０の取付部８３を据え付けるベース１１０である。ベース１１０は、ベース１１０の内周面と取付部８３側の弾性リング保持具９０との間に弾性リング１５０を設置し、ベース１１０に対してポンプ８０を正規位置から傾けた状態でも、弾性リング１５０の押圧量が変化するだけで水密性が保持されるシール保持構造を具備している。【選択図】　　　図１
2004108316.tif 000002
【特許請求の範囲】
【請求項１】
ポンプ据付穴の内周部分に取り付けられ、その上にポンプの外周に設けた取付部を据え付けるとともに、据え付けたポンプとの間でシールされる構造のポンプ据付用水密ベースにおいて、
前記ベースは、このベースに対してポンプを正規位置から傾けた状態でも水密性を保持するシール保持構造を具備していることを特徴とするポンプ据付用水密ベース。
【請求項２】
前記シール保持構造は、ベースの内周面とポンプ側の部材との間に弾性リングを設置し、弾性リングの押圧量を変化することによって、ベースに対してポンプを正規位置から傾けた状態でも水密性を保持する構造に構成されていることを特徴とする請求項１記載のポンプ据付用水密ベース。
【請求項３】
前記シール保持機構は、ベースとポンプの間に可撓性を有する可撓ベースを設置し、可筒ベースを撓めることによって、ベースに対してポンプを正規位置から傾けた状態でも水密性を保持する構造に構成されていることを特徴とする請求項１記載のポンプ据付用水密ベース。
【請求項４】
前記シール保持構造は、ベースからポンプに至るポンプ据付け穴の部分を水密シートで覆うことによって、ベースに対してポンプを正規位置から傾けた状態でも水密性を保持する構造に構成されていることを特徴とする請求項１記載のポンプ据付用水密ベース。
【請求項５】
請求項１又は２又は３又は４に記載のポンプ据付用水密ベースにポンプを据え付けてなることを特徴とするポンプ設備。
【発明の詳細な説明】
【０００１】
【発明の属する技術分野】
本発明は、ポンプ据付用水密ベース及びこのポンプ据付用水密ベースを用いたポンプ設備に関するものである。
【０００２】
【従来の技術】
従来図８に示すようにポンプ２５０は、ポンプ室３００の床面３０１に設けたポンプ据付穴３０３内に挿入して設置される（例えば、特許文献１の図１）。このときポンプ２５０の吊下げ胴２５１の上部外周から張り出す略リング状の取付部２５３の外周下面が、ポンプ据付穴３０３の内周部分に固定したリング状のベース３０５上に据え付けられる。ここで床面３０１は建築物等の構造物の一部であり、ポンプ室３００の階下には吸込み水槽３０７が設置されている。ベース３０５は断面「コ」字状（この形状以外のものもある）で上面が水平面とされており、ポンプ据付穴３０３の内周部分の床面３０１を構成するコンクリート内に埋め込まれている。ベース３０５はその上に面接触する取付部２５３下面との間にゴムリング３３０を挟持することで、取付部２５３とベース３０５間をシールしている。取付部２５３とベース３０５間をシールするのは、ポンプ据付穴３０３からポンプ室３００内に吸込み水槽３０７の水が浸水するのを防止するためである。
【０００３】
ところでポンプ据付後の不等沈下等によって構造物が傾くと、ベース３０５及びこれに固定されているポンプ２５０も傾く。ポンプ２５０は傾くと故障の原因となるので、これを正規の姿勢になるように修正（芯出し作業）しなくてはならない。しかしながら図９に示すように、ベース３０５とポンプ２５０の取付部２５３の間にテーパライナ３５０等を使うことで取付部２５３を水平に修正しようとすると、ゴムリング３３０がベース３０５と取付部２５３の間で挟持されなくなり、水密性が保てなくなる。
【０００４】
従ってポンプ３００を正規の姿勢に修正する際は、床面３０１を構成するコンクリートを壊してベース３０５を取り外し、再びベース３０５を図１０に示すようにコンクリート中に再据付して養生しなければならなくなり、しかもベース３０５の再据付の際はポンプ２５０やポンプ２５０の上部に設置する減速機、原動機等の撤去が必要で、大掛かりな工事となり、経済性、長い工期等の点で大きな問題となっていた。
【０００５】
【特許文献１】
特開２００２−５０９７号公報
【０００６】
【発明が解決しようとする課題】
本発明は上述の点に鑑みてなされたものでありその目的は、たとえポンプ据付後の不等沈下等によって構造物が傾いても、ポンプ据付穴の水密性を保ったまま容易にポンプの姿勢を修正できるポンプ据付用水密ベース及びポンプ設備を提供することにある。
【０００７】
【課題を解決するための手段】
本願の請求項１に記載の発明は、ポンプ据付穴の内周部分に取り付けられ、その上にポンプの胴の外周に設けた取付部を据え付けるとともに、据え付けたポンプとの間でシールされる構造のポンプ据付用水密ベースにおいて、前記ベースは、このベースに対してポンプを正規位置から傾けた状態でも水密性を保持するシール保持構造を具備していることを特徴とするポンプ据付用水密ベースである。これによってたとえポンプ据付後の不等沈下等によってポンプを据え付けた構造物自体が傾いたとしても、ポンプの姿勢の修正が、他の機器を移動することなく、ポンプ据付穴の水密性を保ったまま容易且つ短い工期で行なえる。
【０００８】
また請求項２に記載の発明は、前記シール保持構造は、ベースの内周面とポンプ側の部材との間に弾性リングを設置し、弾性リングの押圧量を変化することによって、ベースに対してポンプを正規位置から傾けた状態でも水密性を保持する構造に構成されていることを特徴とする請求項１記載のポンプ据付用水密ベースである。
【０００９】
また請求項３に記載の発明は、前記シール保持機構は、ベースとポンプの間に可撓性を有する可撓ベースを設置し、可筒ベースを撓めることによって、ベースに対してポンプを正規位置から傾けた状態でも水密性を保持する構造に構成されていることを特徴とする請求項１記載のポンプ据付用水密ベースである。
【００１０】
また請求項４に記載の発明は、前記シール保持構造は、ベースからポンプに至るポンプ据付け穴の部分を水密シートで覆うことによって、ベースに対してポンプを正規位置から傾けた状態でも水密性を保持する構造に構成されていることを特徴とする請求項１記載のポンプ据付用水密ベースである。
【００１１】
また請求項５に記載の発明は、請求項１又は２又は３又は４に記載のポンプ据付用水密ベースにポンプを据え付けてなることを特徴とするポンプ設備である。
【００１２】
【発明の実施の形態】
以下、本発明の実施の形態を図面を参照して詳細に説明する。
図１は本発明の一実施形態を用いてポンプ８０をポンプ室床面に据え付けた状態を示す要部概略断面図である。同図に示すようにポンプ８０は、ポンプ室１００の床面１０１に設けたポンプ据付穴１０３内に挿入され、ポンプ８０の吊下げ胴８１の上部外周から張り出す略リング状の取付部８３の外周下面（さらに具体的に言えば取付部８３に固定した下記する弾性リング保持具９０の固定部９３下面）をポンプ据付穴１０３の内周上部に固定したリング状のベース１１０上に据え付けて設置される。ここで床面１０１は建築物等の構造物の一部であり、ポンプ室１００の階下には吸込み水槽１０７が設置されている。
【００１３】
ベース１１０は断面「コ」字状（この形状に限定されず、他の種々の形状のものでも良い）であり、ポンプ据付穴１０３の内周部分の床面１０１を構成するコンクリート内に埋め込まれ、その上面と内周面とを露出している。ベース１１０の内周面は下記する弾性リング１５０によってシールされるシール面となっている。
【００１４】
ポンプ８０の取付部８３の下面には、リング状の弾性リング保持具９０が取り付けられている。弾性リング保持具９０は筒状の本体部９１の上端に外方向につば状に突出する固定部９３を設けて構成されている。そして固定部９３は取付部８３の下面外周部分に水密状に図示しないボルト・ナットや溶接等によって固定されている。一方本体部９１の外周面には、二条（一条又は３条以上でもよいが、信頼性を上げるためには複数条の方が好ましい）のリング状の弾性リング収納凹部９５，９５が設けられており、これら弾性リング収納凹部９５，９５にはそれぞれ弾性ゴム製の弾性リング１５０，１５０が嵌め込まれている。なお固定部９３とベース１１０間も図示しないボルト・ナット等の固定手段によって固定されている。
【００１５】
従ってこの実施形態においては、ベース１１０の内周面と弾性リング保持具９０の本体部９１との間に弾性リング１５０が挟持され、これによってベース１１０と取付部８３間をシールするシール保持構造が構成されている。
【００１６】
そしてポンプ据付後の不等沈下等によって構造物が傾くと、ベース１１０及びこれに固定されているポンプ８０も傾くので、ポンプ８０を正規の姿勢になるように修正（芯出し作業）するが、この芯出し作業は、図２に示すように、ベース１１０とポンプ８０の取付部８３の間に例えばテーパライナ２００を挿入することによって行なう。なおこの芯出し作業は、テーパライナ２００による方法でなく、他の種々の方法があり、要はベース１１０に対してポンプ８０の傾きを修正する方法であればどのような調整手段を用いても良い。またテーパライナ２００の代わりに、調整シム、スペーサ等を用いても良い。
【００１７】
以上の芯出し作業によって取付部８３はベース１１０に対して傾き、従って弾性リング保持具９０の本体部９１もベース１１０の内周面に対して傾くこととなる。しかしながら本実施形態においては、本体部９１とベース１１０の内周面との間に弾性リング１５０を挟持しているので、両者の面が平行でなくなっても、弾性リング１５０の圧縮量が変化するだけで、弾性リング１５０による本体部９１とベース１１０間の水密性はそのまま保持される。つまり本実施形態においては、シール保持構造が、ベース１１０の内周面とこれに対向するポンプ８０側の部材（この実施形態では弾性リング保持具９０）との間に弾性リング１５０を設置し、弾性リング１５０の押圧量を変化することによって、ベース１１０に対してポンプ８０が正規位置から傾いた状態でも水密性を保持する構造に構成されているので、ポンプ８０を正規の姿勢に修正する際でも単にポンプ８０のみの姿勢を修正すれば良く、ポンプ８０やポンプ８０の上部に設置する図示しない減速機、原動機等の撤去やベース１１０の再据付け等が不要になり、経済的で簡単な工事だけで芯出し作業を行なうことができる。
【００１８】
なお上記実施形態では弾性リング１５０を本体部９１外周の上下に二本取り付けたが、一本又は三本以上取り付けても良い。また図３に示すように、弾性リング保持具９０−２はつば部９３を設けず、筒状の本体部９１の上端辺を直接取付部８３の下面に溶接やその他の固定手段によって水密状に取り付けても良い。
【００１９】
図４は本発明のさらに他の実施形態を用いてポンプ８０をポンプ室床面に据え付けた状態を示す要部概略断面図である。同図において図１に示す実施形態と同一又は相当部分には同一符号を付してその詳細な説明は省略する。この実施形態において図１に示す実施形態と相違する点は、弾性リング保持具９０と弾性リング１５０を用いてシール保持機構を構成する代わりに、ベース１１０と取付部８３の間に可撓性を有する可撓ベース２５０を介在した点である。可撓ベース２５０は、リング状であって、断面略「Ｅ」字状（但し断面形状は任意の形状で良い）に形成されており、上下面をそれぞれ取付面２５１，２５５とし、上側の取付面２５１は取付部８３の下面の外周近傍に当接して図示しないボルト・ナット等の固定手段で固定され、下側の取付面２５５はベース１１０の上面に当接して図示しないボルト・ナット等の固定手段で固定されている。取付面２５１と取付部８３間、及び取付面２５５とベース１１０間は何れも弾性ゴム製の弾性リング２６０，２６５を挟持することでシールされている。なお取付面２５１と取付部８３間、又は取付面２５５とベース１１０間は溶接等によって水密状に固定するようにしても良い。可撓ベース２５０の両取付面２５１，２５５間には、両取付面２５１，２５５間の間隔を中央の筒状部２５７を撓めながら調整するボルト・ナット等からなる高さ調整手段２７０が取り付けられている。この高さ調整手段２７０はリング状の可撓ベース２５０に等間隔に複数箇所（例えば四ヶ所又はそれ以上）取り付けられている。そして複数の高さ調整手段２７０の内の所望の一又は二以上の高さ調整手段２７０を操作すれば、操作した高さ調整手段２７０部分の両取付面２５１，２５５間の間隔が調整され、ポンプ８０をベース１１０に対して傾斜させていくことができる。
【００２０】
つまりこの実施形態においては、そのシール保持機構が、ベース１１０とポンプ８０の間に可撓性を有する可撓ベース２５０を設置し、可筒ベース２５０を撓めることによって、ベース１１０に対してポンプ８０を正規位置から傾けた状態でも水密性を保持する構造に構成されているので、ポンプ８０を正規の姿勢に修正する際でも単にポンプ８０のみの姿勢を修正すれば良く、ポンプ８０やポンプ８０の上部に設置する図示しない減速機、原動機等の撤去やベース１１０の再据付け等が不要になり、経済的で簡単な工事だけで芯出し作業を行なうことができる。
【００２１】
図５は本発明のさらに他の実施形態を用いてポンプ８０をポンプ室床面に据え付けた状態を示す要部概略断面図である。同図において図１に示す実施形態と同一又は相当部分には同一符号を付してその詳細な説明は省略する。この実施形態において図１に示す実施形態と相違する点は、弾性リング保持具９０と弾性リング１５０を用いてシール保持機構を構成する代わりに、ベース１１０からポンプ８０の胴に至るポンプ据付け穴１０３の部分を水密シート２８０で塞ぐことによって、シール保持構造を構成した点である。水密シート２８０は、可撓性を有する円板状のゴムシートや合成樹脂シート等で構成されており、その中央にはポンプ８０の胴を貫通する貫通孔２８１が設けられている。そして水密シート２８０の外周部分はベース１１０とリング状の押え板２９０の間に設置され、押え板２９０上に載置した取付部８３とベース１１０間をボルト・ナット等で挟持することでベース１１０と水密シート２８０間を水密状に挟持し、一方水密シート２８０の貫通孔２８１の部分をポンプ８０の吊下げ胴８１，８７の間に設けたフランジ間にボルト・ナット等で水密状に挟持し、これによってベース１１０からポンプ８０に至るポンプ据付け穴１０３の部分を水密状に塞いでいる。
【００２２】
そしてポンプ据付後の不等沈下等によって構造物が傾いた場合は、図６に示すように、押え板２９０と取付部８３の間に例えばテーパライナ２００を挿入することによってポンプ８０の芯出し作業を行ない、その状態で改めて取付部８３とベース１１０間をボルト・ナット等で挟持してベース１１０と水密シート２８０間を水密状にする。なお芯出し作業は、テーパライナ２００による方法でなく、他の種々の方法があり、要はベース１１０に対してポンプ８０の傾きを修正する方法であればどのような調整手段を用いても良い。
【００２３】
以上の芯出し作業によってポンプ８０はベース１１０に対して傾くが、本実施形態においては水密シート２８０を設置しているので、この水密シート２８０によってポンプ据付け穴１０３の水密性はそのまま保持される。
【００２４】
以上のようにこの実施形態においては、そのシール保持機構が、ベース１１０からポンプ８０に至るポンプ据付け穴１０３の部分を水密シート２８０で覆うことによって、ベース１１０に対してポンプ８０を正規位置から傾けた状態でも水密性を保持する構造に構成されているので、ポンプ８０を正規の姿勢に修正する際でも単にポンプ８０のみの姿勢を修正すれば良く、ポンプ８０やポンプ８０の上部に設置する図示しない減速機、原動機等の撤去やベース１１０の再据付け等が不要になり、経済的で簡単な工事だけで芯出し作業を行なうことができる。
【００２５】
図７は本発明のさらに他の実施形態を用いてポンプ８０をポンプ室床面に据え付けた状態を示す要部概略断面図である。同図において図１に示す実施形態と同一又は相当部分には同一符号を付してその詳細な説明は省略する。この実施形態において図１に示す実施形態と相違する点は、取付部８３の外周に等間隔（９０°間隔）に四ヶ所不等沈下検知センサー２９５を設置した点である。なお不等沈下検知センサー２９５の数は任意で良い。不等沈下検知センサー２９５は、それぞれ設置場所の傾きや沈下寸法を測定することで不等沈下の状態を検出するもので、水準器やその他の各種センサによって構成される。センサーによってはＸ−Ｙ成分の不等沈下を検知できる。このように不等沈下検知センサー２９５を設置しておけば、不等沈下しているか否かを自動的に経時的に測定でき、不等沈下の状況を正確に把握することができてこれに対する対処を的確に行なえ、好適である。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では取付部８３をポンプ８０の吊下げ胴８１の上部に設けたが、吐出曲胴８５（図１参照）の下部に取り付けても良い。要は取付部８３はポンプ８０の胴の外周に設けるものであればよい。
【００２７】
【発明の効果】
以上詳細に説明したように本発明によれば、たとえポンプ据付後の不等沈下等によってポンプを据え付けた構造物自体が傾いたとしても、ポンプの姿勢の修正が、他の機器を移動することなく、ポンプ据付穴の水密性を保ったまま容易且つ短い工期で行なえるという優れた効果を有する。
【図面の簡単な説明】
【図１】本発明の一実施形態を用いてポンプ８０をポンプ室床面に据え付けた状態を示す要部概略断面図である。
【図２】ポンプ８０の芯出し作業の一例を示す要部概略断面図である。
【図３】本発明の他の実施形態を用いてポンプ８０をポンプ室床面に据え付けた状態を示す要部概略断面図である。
【図４】本発明のさらに他の実施形態を用いてポンプ８０をポンプ室床面に据え付けた状態を示す要部概略断面図である。
【図５】本発明のさらに他の実施形態を用いてポンプ８０をポンプ室床面に据え付けた状態を示す要部概略断面図である。
【図６】ポンプ８０の芯出し作業の一例を示す要部概略断面図である。
【図７】本発明のさらに他の実施形態を用いてポンプ８０をポンプ室床面に据え付けた状態を示す要部概略断面図である。
【図８】従来のポンプ２５０のポンプ室床面への据付状態を示す要部概略断面図である。
【図９】従来のポンプ２５０の芯出し作業の問題点を説明する問題点説明図である。
【図１０】従来のポンプ２５０の芯出し作業の問題点を説明する問題点説明図である。
【符号の説明】
８０　ポンプ
８１　吊下げ胴
８３　取付部
８５　吐出曲胴
９０　弾性リング保持具
９１　本体部
９３　固定部
９５　弾性リング収納凹部
１００　ポンプ室
１０１　床面
１０３　ポンプ据付穴
１０７　吸込み水槽
１１０　ベース
１５０　弾性リング
２００　テーパライナ
２５０　可撓ベース
２５１，２５５　取付面
２５７　筒状部
２６０，２６５　弾性リング
２７０　高さ調整手段
【図１】
2004108316.tif 000003
【図２】
2004108316.tif 000004
【図３】
2004108316.tif 000005
【図４】
2004108316.tif 000006
【図５】
2004108316.tif 000007
【図６】
2004108316.tif 000008
【図７】
2004108316.tif 000009
【図８】
2004108316.tif 000010
【図９】
2004108316.tif 000011
【図１０】
2004108316.tif 000012